(57)【特許請求の範囲】
【請求項１】
トランスポートストリーム信号のパケットを検出して表示するパケット検出表示装置において、
トランスポートストリーム信号のパケットから同期用ビット列を検出すると検出パルスを発生するＳＹＮＣ検出回路と、前記検出パルスを認識するとカウントを行うとともに、トランスポートストリーム信号のパケットのバイトを認識する毎にカウント値を増加し、カウント値がトランスポートストリーム信号のパケットのバイト数まで達するとカウントパルスを発生する周期カウンタと、前記検出パルスとカウントパルスが同時に発生すると同期信号を発生する一致比較回路とを有する同期信号発生回路と、
前記同期信号を所定の比率で分周して、分周信号を発生する分周回路と、
前記分周信号を表示する表示手段と、
を備え、前記分周信号に基づいてトランスポートストリーム信号の入出力状態を表示することを特徴とするパケット検出表示装置。
【請求項２】
前記表示手段は、発光素子を備え、前記入出力状態を視覚的に表示する、請求項１に記載のパケット検出表示装置。
【発明の詳細な説明】
【０００１】
【発明の属する技術分野】
本発明は、パケット検出表示装置に関し、より詳細には、ディジタル放送機器の生産、調整、及び、設計に使用し、ＴＳ（Ｔｒａｎｓｐｏｒｔ  Ｓｔｒｅａｍ）信号が入出力するＴＳ信号発生器、ＴＳ信号解析装置、及び、ＴＳ信号インターフェース・データレート変換装置等に搭載されるパケット検出表示装置に関するものである。
【０００２】
【従来の技術】
ＴＶ放送は、現行のアナログ方式に代えて、ＢＳ放送が本年度中に、また地上波放送が２０１０年までにディジタル方式に移行する予定であり、数年後には全てディジタル化される。ＴＳ信号は、画像、音声、及び、データ等の伝送情報がディジタル化及び多重化された信号である。ディジタル放送では、ＴＳ信号が変調された放送波を各家庭のユーザに送信する。
【０００３】
メーカ側では、セットトップＢＯＸ（ディジタルＢＳチューナ）等を開発する際、ＴＳ信号発生器からのＴＳ信号を基準信号として使用し、若しくは、エラーを含むＴＳ信号を使用して、伝送情報が正しく出力されるか否かその動作を確認する。ＴＳ信号等のパケット信号が正しく送信していること、又は、受信されていることを確認するためにパケット検出表示装置が用いられる。
【０００４】
図３は、従来のパケット検出表示装置のブロック図である。同図（ａ）は、ＴＳ信号を受信するＴＶ放送受信装置への適用例である。パケット検出表示装置は、外部から入力されるＴＳ信号１０１を入力バッファ２１を経由して、データ処理回路２２に入力する。データ処理回路２２は、データ解析、及び、ＴＳ信号のデータレートと同期信号検出やその他のエラー解析を行い、解析した結果である解析信号１０４を表示装置制御回路２３に入力する。表示装置制御回路２３は、解析信号１０４に基づいて、表示方式に応じたデータを表示装置２４に入力する。表示装置２４は、データレート方式、プログレスバー方式、又は、カウンタ方式等の表示方式により、ＴＳ信号１０１の入力状態を表示する。
【０００５】
また、データ処理回路２２は、インターフェース変換及びデータレート変換等を行い、変換した信号を外部に出力する。ＴＶ放送受信装置には、ＴＳ信号のインターフェース変換及びデータレート変換だけを行い、表示装置制御回路２３及び表示装置２４を要しないものもある。
【０００６】
同図（ｂ）は、ＴＳ信号を送信するＴＶ放送送信装置への適用例である。データ出力回路２５は、ＴＳ信号１０１を発生し、出力バッファ２６を経由して、外部に出力する。パケット検出表示装置は、ＴＶ放送受信装置と同様に、表示装置制御回路２３及び表示装置２４を用いて、外部に出力するＴＳ信号の出力状態を表示する。パケット検出表示装置は、データ出力回路２５からのＴＳ信号１０１を表示装置制御回路２３に入力する際に、実線及び破線で示した２つの方式が存在する。
【０００７】
実線で示した第１の方式では、データ出力回路２５は、発生したＴＳ信号１０１の全てを記憶し、全ＴＳ信号１０５として、表示装置制御回路２３に入力する。ＴＶ放送送信装置では、データ出力回路２５からのＴＳ信号を全て解析しないと、ユーザは出力したＴＳ信号１０１の全データが正しいか否かを確認できない。
【０００８】
破線で示した第２の方式では、データ出力回路２５は、発生したＴＳ信号１０１をデータ処理回路２２に入力する。データ処理回路２２は、データ解析及びエラー解析を行い、解析信号１０４として表示装置制御回路２３に入力する。ＴＶ放送送信装置では、データ出力回路２５からのＴＳ信号１０１の出力状態をリアルタイムに表示して、ユーザは出力したＴＳ信号１０１の内容が正しいか否かを確認できる。
【０００９】
【発明が解決しようとする課題】
上記従来のパケット検出表示装置では、データ処理回路２２、表示装置制御回路２３、表示装置２４等を用いて、ＴＳ信号１０１の入力状態又は出力状態を夫々表示する。ここで、データ処理回路２２は、データ解析及びエラー解析を行うので、データレート解析回路や同期信号発生回路等を要し、回路構成が複雑である。また、表示装置制御回路２３、及び、表示装置２４は、データレートの表示や同期検出結果の表示等に対応するため高価である。
【００１０】
ＴＶ放送受信装置の場合、データレートを表示せずに同期検出の結果だけを表示する装置も存在するが、同期検出の結果はデータレートに無関係であり、ユーザがＴＳ信号の入力状態を正確に把握することが難しい。
【００１１】
ＴＶ放送送信装置の場合、第１の方式によると、ＴＳ信号１０１の記憶するデータ量が数Ｇバイト程度になり、大きな記憶容量を必要とし、第２の方式によると、ＴＶ放送受信装置と同様になる。また、表示装置２４を有しない装置も存在するが、ユーザはＴＳ信号の出力状態を把握することが難しい。
【００１２】
本発明は、上記したような従来の技術が有する問題点を解決するためになされたものであり、ＴＳ信号等のパケット構造を有するパケット信号のデータレート及びパケット信号の有無を確認するために使用され、簡単な構成のパケット検出表示装置を提供することを目的とする。
【００１３】
【課題を解決するための手段】
上記目的を達成するために、本発明のパケット検出表示装置は、
トランスポートストリーム信号のパケットを検出して表示するパケット検出表示装置において、
トランスポートストリーム信号のパケットから同期用ビット列を検出すると検出パルスを発生するＳＹＮＣ検出回路と、前記検出パルスを認識するとカウントを行うとともに、トランスポートストリーム信号のパケットのバイトを認識する毎にカウント値を増加し、カウント値がトランスポートストリーム信号のパケットのバイト数まで達するとカウントパルスを発生する周期カウンタと、前記検出パルスとカウントパルスが同時に発生すると同期信号を発生する一致比較回路とを有する同期信号発生回路と、
前記同期信号を所定の比率で分周して、分周信号を発生する分周回路と、
前記分周信号を表示する表示手段と、
を備え、前記分周信号に基づいてトランスポートストリーム信号の入出力状態を表示することを特徴とする。
【００１４】
本発明のパケット検出表示装置は、同期信号発生回路がパケット構造を有するパケット信号の同期用のビット列に基づいて同期信号を発生し、表示手段が同期信号を分周した分周信号の発生状態を表示するので、パケット信号のデータレート及び有無の入出力状態を確認できる回路構成が簡単になる。
【００１５】
本発明のパケット検出表示装置では、前記表示手段は、発光素子を備え、前記入出力状態を視覚的に表示することが好ましい。この場合、表示手段に小型で低コストのＬＥＤが採用できるので、構成が容易で安価になる。
【００１７】
【発明の実施の形態】
以下、本発明の実施形態例に基づいて、本発明のパケット検出表示装置について図面を参照して説明する。図１は、本発明の第一実施形態例のパケット検出表示装置のブロック図である。
【００１８】
本実施形態例のパケット検出表示装置は、例えば、ＴＳ信号が外部から入力される装置、又は、発生したＴＳ信号を外部に出力する装置に搭載される。ＴＳ信号が外部から入力される装置には、ＴＶ放送受信装置、ＴＳ信号解析装置、及び、ＴＳ信号インターフェース・データレート変換装置等がある。発生したＴＳ信号を外部に出力する装置には、ＴＶ放送送信装置及びＴＳ信号発生器等がある。
【００１９】
同図（ａ）は、ＴＶ放送受信装置への適用例である。パケット検出表示装置は、入力バッファ１、同期信号発生回路２、分周回路３、発光素子制御回路４、発光素子部５、及び、データ処理回路６で構成される。発光素子部５は、ＬＥＤ等の小型の発光素子で構成される。発光素子制御回路４及び発光素子部５は、表示手段を構成する。
【００２０】
パケット検出表示装置は、入力バッファ１を経由して、外部から入力されるＴＳ信号１０１を、同期信号発生回路２及びデータ処理回路６に入力する。データ処理回路６は、データ解析及びエラー解析を行い、インターフェース変換及びデータレート変換等を行う。データ処理回路６は、解析又は変換した信号を他の回路に入力し、解析又は変換した信号を利用させることもできるが、ＴＳ信号１０１のデータレート及び有無を示す入力状態を確認するだけなら、省略することも可能である。
【００２１】
図２は、ＴＳ信号のパケット構造を示す。ＴＳ信号は、１８８バイトの固定長から成る複数のＴＳパケットで構成される。ＴＳパケットは、４バイトのヘッダー部及び１８４バイトのデータ部で構成される。データ部は、画像、音声、及び、データ等の伝送情報が格納される。
【００２２】
ヘッダー部は、８ビットの同期部、３ビットの指示部、１３ビットのＰＩＤ部、４ビットの制御部、及び、４ビットのカウンタ部で構成される。同期部には、同期用のビット列として、予め０ｘ４７（１６進数で４７）のＳＹＮＣ値が割り当てられる。
【００２３】
同期信号発生回路２は、周期カウンタ、一致比較回路、ＳＹＮＣ検出回路、及び、誤検出防止回路を有する。周期カウンタ、一致比較回路、ＳＹＮＣ検出回路、及び、誤検出防止回路は、ＴＳパケットの１バイト毎に発生するクロックに同期して動作する。ＳＹＮＣ検出回路は、ＴＳ信号１０１のＴＳパケットからＳＹＮＣ値を検出すると、検出パルスを発生する。周期カウンタは、検出パルスを認識すると、カウント値を０からカウントする。周期カウンタは、ＴＳパケットの１バイト毎に、カウント値を１つ増加し、カウント値が１８８（ＴＳパケットのバイト数）になると、カウントパルスを発生する。一致比較回路は、検出パルス及びカウントパルスが同時に発生すると、同期信号１０２を発生する。これにより、同期信号発生回路２は、ＴＳ信号１０１の１８８バイト毎に、１パルスの同期信号１０２を発生する。
【００２４】
ＳＹＮＣ検出回路は、ＴＳパケットのデータ部に格納されたビット列の値が、ＳＹＮＣ値と一致する際にも、検出パルスを発生する。誤検出防止回路は、データ部のビット列に対して、ＳＹＮＣ検出回路を制御し、検出パルスの発生を停止する。また、検出パルスの誤発生が１／２５６の確率で発生し、検出パルスの誤発生が発光素子部５の表示状態に与える影響が少なく、他の回路の機能により誤検出が生じないこともあるので、誤検出防止回路は省略することもできる。
【００２５】
同期信号発生回路２は、同期信号１０２を分周回路３に入力する。分周回路３は、同期信号１０２を１／Ｎに分周し、分周信号１０３として発光素子制御回路４に入力する。発光素子制御回路４は、分周信号１０３のパルスに同期して、発光素子を駆動する点滅信号を発光素子部５に入力する。発光素子部５は、点滅信号に基づいて発光し、ＴＳ信号１０１のデータレートに比例して発光の点滅間隔が変化する。
【００２６】
図１（ｂ）は、ＴＶ放送送信装置への適用例を示す。パケット検出表示装置は、同期信号発生回路２、分周回路３、発光素子制御回路４、発光素子部５、データ出力回路７、及び、出力バッファ８で構成される。データ出力回路７は、ＴＳ信号１０１を発生し、出力バッファ８及び同期信号発生回路２に入力する。ＴＳ信号１０１は、所定の内容のデータ部を有する。出力バッファ８は、ＴＳ信号１０１を増幅し、パケット検出表示装置の外部に出力する。
【００２７】
同期信号発生回路２、分周回路３、発光素子制御回路４、発光素子部５は、ＴＶ放送受信装置への適用例と同様に動作する。同期信号発生回路２は、ＴＳ信号１０１に基づいて、発生した同期信号１０２を分周回路３に入力する。分周回路３は、同期信号１０２に基づいて、分周した分周信号１０３を発光素子制御回路４に入力する。発光素子制御回路４は、ＴＳ信号１０１の出力状態を発光素子部５に表示する。
【００２８】
ここで、パケット検出表示装置によりユーザが確認できる内容について説明する。ＴＳ信号１０１は、１Ｍビット／ｓ〜８０Ｍビット／ｓ程度の伝送速度で使用される。分周回路３の分周比Ｎが所定の値に設定されるので、分周信号１０３に基づく発光素子部５の点滅間隔が視覚的に認識できる。ユーザは、ＴＳ信号を熟知していなくても、発光素子部５の点滅を見ることで、ＴＳ信号の有無が判断でき、発光素子部５の点滅間隔を何度か見ることで、いつも使用しているＴＳ信号と同じなのか否かが判断できる。
【００２９】
上記実施形態例によれば、同期信号発生回路がパケット構造を有するパケット信号の同期用のビット列に基づいて同期信号を発生し、表示手段が同期信号を分周した分周信号の発生状態を表示するので、パケット信号のデータレート及び有無の入出力状態を確認できる回路構成が簡単になる。
【００３０】
なお、上記実施形態例ではＴＳ信号を入出力する装置について説明したが、予め割り当てられた同期用のビット列を有する固定長のパケット構造のパケット信号が入出力する装置についても同様な効果が得られる。
【００３１】
また、表示手段には、視覚的な方式以外にも音による聴覚的な方式も採用することができる。
【００３２】
以上、本発明をその好適な実施形態例に基づいて説明したが、本発明のパケット検出表示装置は、上記実施形態例の構成にのみ限定されるものでなく、上記実施形態例の構成から種々の修正及び変更を施したパケット検出表示装置も、本発明の範囲に含まれる。
【００３３】
【発明の効果】
以上説明したように、本発明のパケット検出表示装置では、同期信号発生回路がパケット構造を有するパケット信号の同期用のビット列に基づいて同期信号を発生し、表示手段が同期信号を分周した分周信号の発生状態を表示するので、パケット信号のデータレート及び有無の入出力状態を確認できる回路構成が簡単になる。
【００３４】
また、パケット検出表示装置を搭載する機器は、表示手段に小型で低コストのＬＥＤを採用することにより、構成が容易で安価になるので、小型化及び低コスト化し、一般のユーザが容易にパケット信号の入出力状態を確認できる付加機能として利用できるので、利便性が向上する。
【図面の簡単な説明】
【図１】本発明の第一実施形態例のパケット検出表示装置のブロック図である。
【図２】ＴＳ信号のパケット構造を示す。
【図３】従来のパケット検出表示装置のブロック図である。
【符号の説明】
１、２１  入力バッファ
２  同期信号発生回路
３  分周回路
４  発光素子制御回路
５  発光素子部
６、２２  データ処理回路
７、２５  データ出力回路
８、２６  出力バッファ
２３  表示装置制御回路
２４  表示装置
１０１  ＴＳ信号
１０２  同期信号
１０３  分周信号
１０４  解析信号
１０５  全ＴＳ信号
【図１】
0003797094.tif 000002
【図２】
0003797094.tif 000003
【図３】
0003797094.tif 000004